(57)【要約】【課題】表面シート上を流れる液及び吸収体に吸収された液の両方の漏れ出しを効果的に防止することのできる吸収性物品を提供すること。【解決手段】本発明の吸収性物品１は、長手方向の両側に、第１及び第２中空ループ部７，８を有する立体防漏部６を有する。第１及び第２中空ループ部７，８は、互いに隣接して設けられ、それぞれ、吸収体４の肌対向面４１より上方に頂部７１，８１を有し、頂部７１，８１から内方に延在する内方シート部７２，８２と外方に延在する外方シート部７３，８３とを有する。外方シート部７３，８３は液難透過性又は液不透過性であり、第１中空ループ７の内方シート部７２は、吸収体４の肌対向面側に上方固定部７２ａを有し、第１中空ループ７の外方シート部７３は、吸収体の非肌対向面側に下方固定部７３ａを有し、第２中空ループ部８の外方シート部８３は、吸収体４の非肌対向面４２側に固定された下方固定部８３ａを有している。【選択図】図２
2010094270.tif 000002
【特許請求の範囲】
【請求項１】
表面シート、裏面シート及びこれら両シート間に位置する吸収体を有する実質的に縦長の吸収性物品であって、
吸収性物品の長手方向の両側それぞれに、第１及び第２中空ループ部を有する立体防漏部を有しており、
前記各立体防漏部における第１及び第２中空ループ部は、互いに隣接して設けられ、それぞれ、前記吸収体の肌対向面の位置より上方に頂部を有し、該頂部から吸収性物品の幅方向内方に向かって延在する内方シート部と、該頂部から吸収性物品の幅方向外方に向かって延びる外方シート部とを有し、該各外方シート部は液難透過性又は液不透過性であり、
第１中空ループの内方シート部は、前記吸収体の肌対向面側に固定された上方固定部を有し、第１中空ループの外方シート部は、該吸収体の非肌対向面側に固定された下方固定部を有しており、
第２中空ループ部の外方シート部は、該吸収体の非肌対向面側に固定された下方固定部を有している、吸収性物品。
【請求項２】
第２中空ループ部の内方シート部は、前記吸収体の肌対向面の位置より上方に、第１中空ループ部の外方シート部との結合部を有する、請求項１記載の吸収性物品。
【発明の詳細な説明】
【技術分野】
【０００１】
本発明は、生理用ナプキンや失禁パッド等の吸収性物品に関する。
【背景技術】
【０００２】
従来、着用中に経血等の体液が幅方向に移動して側縁部から漏れてしまう横漏れを防止するため、長手方向両側縁部それぞれに防漏壁を設けた生理用ナプキンが知られている。
また、防漏壁の着用者へのフィット性を高める為に、中空のループ形状の防漏壁を設けることもれている（引用文献１参照）。
しかし、従来の中空ループ形状の防漏壁は、柔軟である反面、生理用ナプキンの着用時に左右両側からの圧力を受けると、幅方向の内方に倒れ込みやすく、吸収可能な領域の幅が狭くなる等の不都合があった。
【０００３】
特許文献２には、弾性伸縮シートを複数回折り返し、その折り返し部分の基端部をそれぞれ吸収性物品の表面に接合して、吸収性物品の側部に複数の防漏壁を形成させた吸収性物品が記載されている。
しかし、この吸収性物品の防漏壁は、吸収体上に形成されているため、吸収性物品の表面を流れる液の移動を阻止する性能には優れるが、吸収体内を液が流れることによる漏れ防止効果はあまり期待できないものであった。
【０００４】
【特許文献１】特開平１１−２９９８２１号公報
【特許文献２】特許第３８５０６１８号公報
【発明の開示】
【発明が解決しようとする課題】
【０００５】
従って、本発明の目的は、表面シート上を流れる液及び吸収体に吸収された液の両方の漏れ出しを効果的に防止することのできる吸収性物品を提供することにある。
【課題を解決するための手段】
【０００６】
本発明は、表面シート、裏面シート及びこれら両シート間に位置する吸収体を有する実質的に縦長の吸収性物品であって、吸収性物品の長手方向の両側それぞれに、第１及び第２中空ループ部を有する立体防漏部を有しており、前記各立体防漏部における第１及び第２中空ループ部は、互いに隣接して設けられ、それぞれ、前記吸収体の肌対向面の位置より上方に頂部を有し、該頂部から吸収性物品の幅方向内方に向かって延在する内方シート部と、該頂部から吸収性物品の幅方向外方に向かって延びる外方シート部とを有し、該各外方シート部は液難透過性又は液不透過性であり、第１中空ループの内方シート部は、前記吸収体の肌対向面側に固定された上方固定部を有し、第１中空ループの外方シート部は、該吸収体の非肌対向面側に固定された下方固定部を有しており、第２中空ループ部の外方シート部は、該吸収体の非肌対向面側に固定された下方固定部を有している、吸収性物品を提供することにより前記目的を達成したものである。
【発明の効果】
【０００７】
本発明の吸収性物品は、表面シート上を流れる液及び吸収体に吸収された液の両方の漏れ出しを効果的に防止することのできる。
【発明を実施するための最良の形態】
【０００８】
以下、本発明をその好ましい実施形態に基づいて説明する。
第１実施形態の生理用ナプキン１は、図１に示すように、生理用ナプキン１の長手方向に延びる中心線ＣＬに対して左右対称に形成されている。従って、以下には、主として生理用ナプキン１の図１中右側の構成について詳述する。左側の構成については、右側と左右対称の構成を有している。
【０００９】
生理用ナプキン１は、図１及び図２に示すように、表面シート２、裏面シート３及び両シート２，３間に位置する吸収体４を有し、実質的に縦長に形成されている。そして、生理用ナプキン１の長手方向の両側それぞれに、第１及び第２中空ループ部７，８を有する立体防漏部６，６を有している。
図２に示すように、各立体防漏部６における第１及び第２中空ループ部７，８は、互いに隣接して設けられている。第１中空ループ部７は、第２中空ループ部８よりも生理用ナプキン１の幅方向における内方側（前記中心線ＣＬ側）に位置している。
第１及び第２中空ループ部７，８は、それぞれ、吸収体４の肌対向面４１の位置４Ｂより上方に頂部７１，８１を有している。また、第１及び第２中空ループ部７，８は、それぞれ、頂部７１，８１からナプキン１の幅方向内方に向かって延在する内方シート部７２，８２と、該頂部７１，８１からナプキン１の幅方向外方に向かって延在する外方シート部７３，８３とを有している。
【００１０】
そして、第１中空ループ７の内方シート部７２は、吸収体４の肌対向面４１側に固定された上方固定部７２ａを有し、第１中空ループ７の外方シート部７３は、吸収体４の非肌対向面４２側に固定された下方固定部７３ａを有している。
第２中空ループ部８の外方シート部８３は、吸収体４の非肌対向面４２側に固定された下方固定部８３ａを有している。
【００１１】
吸収体４の肌対向面４１とは、ナプキン１の厚み方向（図２中のＺ方向）における吸収体４の上下両面のうち、着用時に着用者の肌側に向けられる面であり、第１中空ループ部７の内方シート部７２の上方固定部７２ａ、後述する外方シート部７３の中間固定部７３ｂ等が、吸収体４の肌対向面４１側に固定されている態様には、それらが、吸収体４の肌対向面４１に直接接合されている場合の他、吸収体４の肌対向面４１上に配された他のシート材（表面シート２等）に固定されている場合も含まれる。
吸収体４の非肌対向面４１とは、ナプキン１の厚み方向（図２中のＺ方向）における吸収体４の上下両面のうち、着用時に着用者の肌側とは反対側（通常ショーツ等の衣類側）に向けられる面であり、第１中空ループ部７の外方シート部７３の下方固定部７３ａ、第２中空ループ部８の外方シート部８３の下方固定部８３ａ等が、吸収体４の非肌対向面４２側に固定されている態様には、それらが、吸収体４の肌対向面４２に直接接合されている場合の他、吸収体４の肌対向面４２と重なる部位（図２においては線４Ａより左側）における該肌対向面４より下方に配された他のシート材（裏面シート３等）に固定されている場合も含まれる。
【００１２】
第１実施形態の生理用ナプキン１について更に詳述する。
生理用ナプキン１は、図１及び図２に示すように、液透過性の表面シート２、液不透過性又は撥水性の裏面シート３、及び該両シート間２，３に位置する吸収体４を有している。表面シート２、裏面シート３及び吸収体４は、積層一体化されて吸収性本体５を構成している。
【００１３】
吸収体４とその肌側の面を被覆する表面シート２との間は、図示しない接着剤及び防漏溝１１によって接合されている。また、吸収体４と裏面シート３との間は、ナプキン１の幅方向中央領域において接着剤９１によって接合されている。
生理用ナプキン１は、実質的に縦長の形状を有している。実質的に縦長の形状は、ウイング部１２，１２を有する場合、それらを除いた部分が縦長であれば良い。
生理用ナプキン１は、その長手方向における中央部より前寄りの位置に一対のウイング部１２，１２を有している。ウイング部１２，１２それぞれの裏面には、該ウイング部１２を、ショーツのクロッチ部の非肌対向面に固定するための粘着部１３が形成されている。
【００１４】
立体防漏部６，６は、生理用ナプキン１の長手方向における、排泄部領域Ａ及び該排泄部領域Ａよりやや後方に位置する後方領域Ｂにおいて少なくとも起立している。
排泄部領域Ａは、吸収性物品（生理用ナプキン１）の幅方向中央部に、着用者の液排泄部（膣口等）が対向配置される部位である。本実施形態の生理用ナプキン１のように、ウイング部１２，１２を有する吸収性物品における排泄部領域Ａは、通常、吸収性物品（生理用ナプキン１）の長手方向においてウイング部１２，１２を有する領域である。。
後方領域Ｂは、吸収性物品（生理用ナプキン１）の長手方向において、排泄部領域Ａと後端部Ｄとの間に位置する部位である。本実施形態の生理用ナプキン１のように、ウイング部１２，１２を有する吸収性物品における後方領域Ｂは、吸収性物品（生理用ナプキン１）の長手方向においてウイング部１２，１２を有する領域Ａに隣接してその後方に位置する長さ７ｃｍ程の領域である。
【００１５】
生理用ナプキン１における立体防漏部６，６は、吸収性本体５の長手方向の両側部５ａ，５ａそれぞれに、防漏部形成部材６０を接合して形成されている。
防漏部形成部材６０は、図２に示すように、ホットメルト型接着剤等の接着剤（図示せず）を介して貼り合わされた実質的に非伸長性のシート６２，６３と、該シート６２，６３に伸長状態で固定された複数本の弾性部材６４とを有してなる。
【００１６】
第１実施形態における立体防漏部６は、図２に示すように、第１中空ループ部７の内方シート部７２の下端７２ａが、吸収体４の肌対向面４１を被覆する表面シート２上に接着剤９２を介して固定されており、該下端７２ａが上方固定部となっている。
また、第１中空ループ７の外方シート部７３は、下端７３ａが、吸収体４の非肌対向面４２側に接着剤９３を介して固定されており、該下端７３ａが外方シート部７３の下方固定部となっている。
第１実施形態の第１中空ループ７の外方シート部７３は、第１中空ループ７の頂部７１と該外方シート部７３の下方固定部７３ａとの間に、吸収体４の肌対向面４１側に接着剤９４を介して固定された中間固定部８３ｂを有している。
【００１７】
第１実施形態における立体防漏部６においては、第２中空ループ部８の内方シート部８２は、図２に示すように、吸収体４の肌対向面４１の位置より上方（図２中のＺ方向における直線４Ｂより上側）に、第１中空ループ部７の外方シート部７３との結合部８５を有している。第１中空ループ部７の外方シート部７３における結合部８５より下方に位置する部分は、第２中空ループ部８の中空部分８４を囲んでおり、第１中空ループ部７の外方シート部７３であると同時に、第２中空ループ部８の外周部の一部を構成している。このように結合部８５より下方が一枚のシート状をなしている場合、その部分は、第１中空ループ部７の外方シート部７３の一部である。
また、第２中空ループ部８の外方シート部８３は、図２に示すように、下端８３ａが、吸収体４の非肌対向面４２側に接着剤９５，９４を介して固定されており、該下端８３ａが、外方シート部８３の下方固定部となっている。
【００１８】
第１中空ループ部７の高さ（上方固定部７２ａの上面の高さ位置から頂部７１の高さ位置までの高さ，Ｚ方向の離間距離）は５〜４０ｍｍ、特に１０〜２０ｍｍであることが好ましい。また、第２中空ループ部８の吸収体上突出高さ（上方固定部７２ａの上面の高さ位置から頂部８１の高さ位置までの高さ，Ｚ方向の離間距離）は５〜４０ｍｍ、特に８〜１８ｍｍであることが好ましい。
前記上方固定部７２ａの上面の高さ位置からの結合部８５の上端の高さ位置までの距離（Ｚ方向の離間距離）は、５ｍｍ以上、特に５〜１５ｍｍであることが好ましく、第１中空ループ部７の前記高さの２０〜９５％、特に５０〜８０であることが好ましい。
【００１９】
第１及び第２中空ループ部７，８それぞれには、それぞれの長手方向に沿って複数本の弾性部材６４が配されており、ナプキン１の自然状態においては、それらの弾性部材６４の収縮によって、第１及び第２中空ループ部７，８が起立する。起立した第１及び第２中空ループ部７，８における、内方シート部７２，８２と外方シート部７３，８３とは、それぞれの頂部７１，８１において、断面円弧状に連なっており、第１及び第２中空ループ部７，８の上部は、肌側に向かって凸の凸曲面状をなしている。
【００２０】
第１実施形態における立体防漏部６は、後方領域Ｂにおいても、図２に示す排泄部領域Ａと同様の断面構造を有している。他方、ナプキン１の前後端部Ｃ，Ｄにおいては、防漏部形成部材６０が、ナプキンの厚み方向に折り畳むか潰された状態で、吸収性本体５等に固定されている。
【００２１】
第１実施形態の生理用ナプキン１によれば、立体防漏部６が、隣接した２つの中空ループ部７，８を有するため、表面シート２上を流れる液が、該立体防漏部６を越えて側方に漏れ出すことを防止することができると共に、吸収体４の側部を、第１中空ループ部７の外方シート部７３及び第２中空ループ部８の外方シート部８３が２重に被覆しているため、吸収体４に吸収された液が、ナプキン１の側方に漏れ出すことも効果的に防止することができる。
【００２２】
しかも、本実施形態においては、第２中空ループ部８の内方シート部８２が、吸収体４の肌対向面の位置より上方において、第１中空ループ部７の外方シート部７３した結合部８５を有するため、両中空ループ部７，８の相互作用により、両中空ループ部７，８の形状安定性が向上している。
例えば、着用者の足の動き等により、ナプキン１の着用中に、ナプキンの幅方向外方からが外力が加わり、第２ループ部８が、吸収体４の側面４３方向に押し潰されても、吸収体４の肌対向面４１上に位置する第１ループ部７によって、立体防漏部６が吸収面上に倒れ込むことが防止され、吸収面が低下することが防止される。
また、着用者の肌により上方から外力が加わり、第１ループ部７及び第２ループ部８の何れかが潰れた場合であっても、一方が他方の回復を促進し、何れも上方に凸の凸曲面状に回復ないし復帰し易い。
このような作用により、第１実施形態の生理用ナプキン１によれば、中空ループ部の肌へのフィット性が安定に維持されると共に中空ループ部のナプキン幅方向内方への倒れ込みが防止され、一層優れた防漏性が得られる。
【００２３】
また、第１実施形態の生理用ナプキン１においては、第１中空ループ部７の外方シート部７３が中間固定部７３ｂを有するため、第１ループ部７の形態安定性あるいは潰れた状態からの復元性が向上し、第１ループ部７がナプキンの幅方向内方に倒れ込むことが一層防止されると共に、第１ループ部７に結合部８５を介して結合している第２ループ部８の潰れた状態からの回復・復元性も一層向上する。
【００２４】
防漏部形成部材６０を構成しているシート６２，６３は、２層以上をなす部分についてはその少なくとも一層をなすシート、１層のみからなる部分がある場合にはその１層をなすシートが、撥水性などの液難透過性又は液不透過性であることが好ましい。
撥水性又は液不透過性のシートとしては、撥水性の不織布や、樹脂フィルム、あるいは樹脂フィルムと不織布とを重ねたもの等が挙げられる。外方シート部はこれらの液難透過性又は液不透過性シートで構成されており、一方、内方シート部は同様のシート又は不織布や開孔フィルムなどの液透過性シートを用いることもできる。このように内方シート部を液透過性、外方シート部を液難透過性又は液不透過性とすることで、物品中央部からきた液を防漏壁空洞内に透過させ、外方シート部で外に漏らすことなく、第１，２ループ部で吸収体に吸収させたり、ループ部内部の空洞内に留めておくことができ、横方向への防漏性に良好である。
第１実施形態で用いた防漏部形成部材６０は、特開２００３−３３３９１号公報に記載の方法や、特開２００４−１８０７８７号公報に記載の方法等により、効率よく製造することができる。
【００２５】
本実施形態の生理用ナプキン１の形成材料について説明する。
上記表面シート２、上記裏面シート３及び上記吸収体４としては、生理用ナプキン等の吸収性物品に従来用いられているもの等を、特に制限なく用いることができる。例えば、表面シート２としては、液透過性の不織布や、開孔フィルム等を用いることができ、裏面シート３としては、樹脂フィルムや樹脂フィルムと不織布の積層体等を用いることができる。吸収体４としては、パルプ等の繊維材料の繊維集合体又はこれに高吸収性ポリマーを担持させたものからを、ティッシュペーパーや透水性の不織布等の被覆材で包んでなるもの等を用いることができる。
【００２６】
次に、本発明の他の実施形態について説明する。他の実施形態については、上述した第１実施形態との相違点について主として説明し、同様の点については、説明を省略する。特に説明しない点については、第１実施形態と同様であり、第１実施形態についての説明が適宜適用される。
【００２７】
図３に示す第２実施形態の生理用ナプキン１Ａにおいては、第１中空ループ部７の外方シート部７３が中間固定部７３ｂを有していない。また、生理用ナプキン１Ａにおいては、少なくとも後方領域Ｂにおける立体防漏部６が、図３に示す断面構造を有し、排泄部領域Ａにおける立体防漏部６は、図３に示す断面構造としても良いし、図２に示す第１実施形態の断面構造とすることもできる。
図４に示す第３実施形態の生理用ナプキン１Ｂにおいても、第１中空ループ部７の外方シート部７３が中間固定部７３ｂを有していない。また、第１中空ループ部７の外方シート部７３と、第２中空ループ部８の内方シート部８２とが、吸収体４の肌対向面４１の位置より上方において、接着剤９６により接合されているが、その固定部位より下方においては、第１中空ループ部７の外方シート部７３と、第２中空ループ部８の内方シート部８２とが一体化していない状態で存在し、それぞれの下端が吸収体４の非肌当接面４２側に固定されている。
【００２８】
第２及び第３実施形態の生理用ナプキン１Ａ，１Ｂによっても、立体防漏部６が、隣接した２つの中空ループ部７，８を有するため、表面シート２上を流れる液が、該立体防漏部６を越えて側方に漏れ出すことを防止することができると共に、吸収体４の側部を、第１中空ループ部７の外方シート部７３及び第２中空ループ部８の外方シート部８３が２重に被覆しているため、吸収体４に吸収された液が、ナプキン１の側方に漏れ出すことも効果的に防止することができる。
【００２９】
しかも、第１中空ループ部７の外方シート部７３と第２中空ループ部８の内方シート部８２とが、吸収体４の肌対向面の位置より上方において結合しているため、第１実施形態と同様に、両中空ループ部７，８の形状安定性が向上している。また、表面シート２側から平面視したときに、第１中空ループ部７の幅が第２中空ループ部８の幅より広くなっている。そのため、上方から外力が加わった場合に、広い面幅で着用者の肌にフィットし、防漏性、フィット性、装着感も低下しにくい。
【００３０】
本発明は、上述した実施形態に制限されず、種々変更が可能である。
例えば、上述した各実施形態においては、実質的に非伸長性の２枚のシート６２，６３間に複数本の弾性部材６４を伸長状態で固定してなる複合シートを用いたが、立体防漏部６は、これに代えて、多種多様な伸縮性シートを用いて形成することができる。
【００３１】
伸縮性シートとして用い得るシート材料としては、伸縮性のフィルム、不織布、織物またはそれらの積層シート等が挙げられる。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する材料（フィルム、糸状物、不織布、織物）やこれら伸縮性の材料（弾性部材）と不織布等の積層物等が挙げられる。上記伸縮性フィルムは、表面シートよりも肌対向面側に使用する場合には、肌触りを良好にする為、及びヒートシール性や接着剤による固定性を向上する為に、ポリエチレン／ポリエステル、ポリエチレン／ポリプロピレン、ポリプロピレンからなる熱可塑性不織布と積層し、積層材として用いることが好ましい。この様な熱可塑性不織布は、不織布自身が伸縮性を有する様に、クリンプ加工した繊維を用いることが好ましく、伸び難いクリンプ加工していない不織布を積層する場合においては、積層する前にあらかじめ弾性部材のみを所定の伸張率まで伸張し、不織布材料とホットメルトやヒートシール等によって接着し、伸縮性を発現するシート材料とする様に作成してもよい。
【００３２】
また、上述した実施形態においては、第１及び第２中空ループ部７，８の各部の固定部や、第１中空ループ部７の外方シート部と第２中空ループ部の内方シート部の接合に接着剤を用いたが、接着剤に代えて、ヒートシール、超音波シール、高周波シール等の他の公知の接合手段を用いることもできる。また、接着剤と他の接合手段を併用することもできる。
【００３３】
また、図５に示すように、第１中空ループ部７の外方シート部７３と第２中空ループ部８の内方シート部８２とを接合しない構成とすることもできる。
また、立体防漏部は、排泄部領域Ａ及び後方領域Ｂの両者において、図２〜図５に示す断面構造を有していても良いし、排泄部領域Ａ及び後方領域Ｂの何れか一方のみにおいて図２〜図５に示す断面構造を有していても良い。また、排泄部領域Ａと後方領域Ｂとで、立体防漏部の断面構造を異ならせることもできる。また、立体防漏部は、図２〜図５に示す断面構造を、吸収性物品の長手方向の任意の場所に設けることもできる。
【００３４】
また、本発明の吸収性物品は、生理用ナプキン以外の吸収性物品であっても良く、例えば、失禁パッド、パンティライナー（下り物シート）等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３５】
【図１】第１実施形態の生理用ナプキンを示す斜視図である。
【図２】図１のＩＩ−ＩＩ線断面図である。
【図３】第２実施形態の生理用ナプキンを示す断面図（図２相当図）である。
【図４】第３実施形態の生理用ナプキンを示す断面図（図２相当図）である。
【図５】第４実施形態の生理用ナプキンを示す断面図（図２相当図）である。
【符号の説明】
【００３６】
１，１Ａ〜１Ｃ  生理用ナプキン（吸収性物品）
２  表面シート
３  裏面シート
４  吸収体
５  吸収性本体
６  立体防漏部
７  第１中空ループ部
７１  頂部
７２  内方シート部
７３  外方シート部
８  第２中空ループ部
８１  頂部
８２  内方シート部
８３  外方シート部
８５  結合部
Ａ  排泄部領域
Ｂ  後方領域
ＣＬ  生理用ナプキンの長手方向に延びる中心線
【図１】
2010094270.tif 000003
【図２】
2010094270.tif 000004
【図３】
2010094270.tif 000005
【図４】
2010094270.tif 000006
【図５】
2010094270.tif 000007